【手続補正書】
【提出日】平成15年10月16日(2003.10.16)
【手続補正１】
【補正対象書類名】明細書
【補正対象項目名】特許請求の範囲
【補正方法】変更
【補正の内容】
【特許請求の範囲】
【請求項１】
種類が異なる第１のデータと第２のデータを記録媒体に記録するデータ記録装置であって、
前記第１のデータと前記第２のデータを識別する識別手段と、
前記第１のデータを前記記録媒体に第１の方法で記録し、前記第２のデータを前記記録媒体に第２の方法で記録する記録手段と
を備えることを特徴とするデータ記録装置。
【請求項２】
前記第１のデータは、相関性の強いデータであり、前記第２のデータは、相関性のないデータである
ことを特徴とする請求項１に記載のデータ記録装置。
【請求項３】
前記第１のデータは、時間的に連続するデータである
ことを特徴とする請求項２に記載のデータ記録装置。
【請求項４】
前記第１のデータはオーディオおよび／またはビデオデータストリームであり、前記第２のデータは、オーディオおよび／またはビデオデータストリーム以外のランダムアクセスデータである
ことを特徴とする請求項１に記載のデータ記録装置。
【請求項５】
前記記録手段は、前記第１のデータおよび前記第２のデータをファイルとして前記記録媒体に記録する
ことを特徴とする請求項１に記載のデータ記録装置。
【請求項６】
前記ファイルに割り当てられた前記ファイルの種類を示す固有の拡張子情報を記憶する記憶手段をさらに備え、
前記識別手段は、前記拡張子情報に基づいて、前記第１のデータと前記第２のデータを識別する
ことを特徴とする請求項５に記載のデータ記録装置。
【請求項７】
前記記録手段は、前記第１のデータを前記記録媒体に記録するとき、前記第１の方法に基づいて、前記記録媒体のフォーマット時に作成された交替セクタへのシークを制限する
ことを特徴とする請求項６に記載のデータ記録装置。
【請求項８】
種類が異なる第１のデータと第２のデータを所定の記録媒体に記録するデータ記録方法であって、
前記第１のデータと前記第２のデータを識別する識別ステップと、
前記第１のデータを前記記録媒体に第１の方法で記録し、前記第２のデータを前記記録媒体に第２の方法で記録する記録ステップと
を備えることを特徴とするデータ記録方法。
【請求項９】
種類が異なる第１のデータと第２のデータを所定の記録媒体から再生するデータ再生装置であって、
前記第１のデータと前記第２のデータを識別する識別手段と、
前記第１のデータを前記記録媒体から第１の方法で再生し、前記第２のデータを前記記録媒体から第２の方法で再生する再生手段と
を備えることを特徴とするデータ再生装置。
【請求項１０】
前記第１のデータは、相関性の強いデータであり、前記第２のデータは、相関性のないデータである
ことを特徴とする請求項９に記載のデータ再生装置。
【請求項１１】
前記第１のデータは、時間的に連続するデータである
ことを特徴とする請求項１０に記載のデータ再生装置。
【請求項１２】
前記第１のデータはオーディオおよび／またはビデオデータストリームであり、前記第２のデータは、オーディオおよび／またはビデオデータストリーム以外のランダムアクセスデータである
ことを特徴とする請求項９に記載のデータ再生装置。
【請求項１３】
前記再生手段は、ファイルとして前記記録媒体に記録されている前記第１のデータおよび前記第２のデータを再生する
ことを特徴とする請求項９に記載のデータ再生装置。
【請求項１４】
前記ファイルに割り当てられた前記ファイルの種類を示す固有の拡張子情報を記憶する記憶手段をさらに備え、
前記識別手段は、前記拡張子情報に基づいて、前記第１のデータと前記第２のデータを識別する
ことを特徴とする請求項１３に記載のデータ再生装置。
【請求項１５】
前記再生手段は、前記第１のデータを前記記録媒体から再生するとき、前記第１の方法に基づいて、前記第１のデータを連続的に読み出す処理を阻害する動作を制限する
ことを特徴とする請求項１４に記載のデータ再生装置。
【請求項１６】
前記再生手段が前記第１のデータを前記記録媒体から再生するときに発生したエラー情報を記憶するエラー情報記憶手段と、
前記エラー情報記憶手段に記憶されている前記エラー情報に基づいて、前記再生手段によって再生された前記第１のデータを補間する補間手段と
をさらに備えることを特徴とする請求項９に記載のデータ再生装置。
【請求項１７】
種類が異なる第１のデータと第２のデータを所定の記録媒体から再生するデータ再生方法であって、
第１のデータと第２のデータを識別する識別ステップと、
前記第１のデータを前記記録媒体から第１の方法で再生し、前記第２のデータを前記記録媒体から第２の方法で再生する再生ステップと
を備えることを特徴とするデータ再生方法。
【請求項１８】
記録媒体に対して、種類が異なる第１のデータと第２のデータの記録または再生を行うデータ記録再生装置であって、
前記第１のデータと前記第２のデータを識別する識別手段と、
前記第１のデータを前記記録媒体に第１の方法で記録し、前記第２のデータを前記記録媒体に第２の方法で記録する記録手段と、
前記第１のデータを前記記録媒体から第１の方法で再生し、前記第２のデータを前記記録媒体から第２の方法で再生する再生手段と
を備えることを特徴とするデータ記録再生装置。
【請求項１９】
前記第１のデータは、相関性の強いデータであり、前記第２のデータは、相関性のないデータである
ことを特徴とする請求項１８に記載のデータ記録再生装置。
【請求項２０】
前記第１のデータは、時間的に連続するデータである
ことを特徴とする請求項１９に記載のデータ記録再生装置。
【請求項２１】
前記第１のデータはオーディオおよび／またはビデオデータストリームであり、前記第２のデータは、オーディオおよび／またはビデオデータストリーム以外のランダムアクセスデータである
ことを特徴とする請求項１８に記載のデータ記録再生装置。
【請求項２２】
前記記録手段は、前記第１のデータおよび前記第２のデータをファイルとして前記記録媒体に記録し、
前記再生手段は、ファイルとして前記記録媒体に記録されている前記第１のデータおよび前記第２のデータを再生する
ことを特徴とする請求項１８に記載のデータ記録再生装置。
【請求項２３】
前記ファイルに割り当てられた前記ファイルの種類を示す固有の拡張子情報を記憶する記憶手段をさらに備え、
前記識別手段は、前記拡張子情報に基づいて、前記第１のデータと前記第２のデータを識別する
ことを特徴とする請求項２２に記載のデータ記録再生装置。
【請求項２４】
前記記録手段は、前記第１のデータを前記記録媒体に記録するとき、前記第１の方法に基づいて、前記記録媒体のフォーマット時に作成された交替セクタへのシークを制限し、
前記再生手段は、前記第１のデータを前記記録媒体から再生するとき、前記第１の方法に基づいて、前記第１のデータを連続的に読み出す処理を阻害する動作を制限する
ことを特徴とする請求項２３に記載のデータ記録再生装置。
【請求項２５】
前記再生手段が前記第１のデータを前記記録媒体から再生するときに発生したエラー情報を記憶するエラー情報記憶手段と、
前記エラー情報記憶手段に記憶されている前記エラー情報に基づいて、前記再生手段によって再生された前記第１のデータを補間する補間手段と
をさらに備えることを特徴とする請求項１８に記載のデータ記録再生装置。
【請求項２６】
記録媒体に対して、種類が異なる第１のデータと第２のデータの記録または再生を行うデータ記録再生方法であって、
前記第１のデータと前記第２のデータを識別する識別ステップと、
前記第１のデータを前記記録媒体に第１の方法で記録し、前記第２のデータを前記記録媒体に第２の方法で記録する記録ステップと、
前記第１のデータを前記記録媒体から第１の方法で再生し、前記第２のデータを前記記録媒体から第２の方法で再生する再生ステップと
を備えることを特徴とするデータ記録再生方法。
【請求項２７】
記録媒体に対して、種類が異なる第１のデータと第２のデータの記録または再生を行うデータ記録再生装置で使用されるコンピュータプログラムを伝送する伝送媒体であって、
前記第１のデータと前記第２のデータを識別し、
前記第１のデータを前記記録媒体に第１の方法で記録し、前記第２のデータを前記記録媒体に第２の方法で記録し、
前記第１のデータを前記記録媒体から第１の方法で再生し、前記第２のデータを前記記録媒体から第２の方法で再生する機能を有するコンピュータプログラムを伝送する
ことを特徴とする伝送媒体。